(57)【要約】【課題】被測定物に負荷をかけることなく傾きが測定できる測定装置を提供することを目的とする。【解決手段】被測定物に当接して相対的に寸法が変化する複数の接触子手段と、前記接触子手段の相対寸法変化を電気信号に変換して表示装置に送るための少なくとも一つのセンサー手段と、前記センサー手段からの電気信号を数値として表示するための表示手段とを具備し、前記接触子手段の被測定物に接触する面を磁化した。【選択図】図１
2006029936.tif 000002
【特許請求の範囲】
【請求項１】
被測定物に当接して相対的に寸法が変化する複数の接触子手段と、前記接触子手段の相対寸法変化を電気信号に変換して表示装置に送るための少なくとも一つのセンサー手段と、前記センサー手段からの電気信号を数値として表示するための表示手段とを具備し、前記接触子手段の被測定物に接触する面を磁化したことを特徴とする測定装置。
【請求項２】
接触子手段は、電磁石で構成したことを特徴とする請求項１記載の測定装置。
【発明の詳細な説明】
【技術分野】
【０００１】
本発明は、磁気記録再生装置等を製造、検査する場合、テープガイドポストの微少な傾き量を測定するための測定装置に関するものである。
【背景技術】
【０００２】
近年、測定装置は、正確に測定することが望まれている。
【０００３】
以下に従来の測定装置について説明する。測定装置で測定されるテープガイドポストを具備した磁気記録再生装置を図４に、従来の測定装置で測定している様子を図５に示す。
【０００４】
図４は磁気記録再生装置のメカニズムの平面図を示すものである。図４において、カセット１０から引き出された磁気テープ１２は主要なテープガイドポスト１４、１６、１８、２０、２２等に巻き付けられてガイドされる。前記テープガイドポストは磁気テープ１２を無理なくガイドする様所定の傾きに設定されており、この傾き量を管理する必要がある。
【０００５】
テープガイドポスト２２を例にとってこの傾き測定方法を図５を使って説明する。
【０００６】
２４は定盤であり、測定の基準となる。定盤２４にはメカシャーシ２６を安定して支持するための受け台２８、その上にはメカシャーシ２６が支持されている。前記メカシャーシ２６に植立したテープガイドポスト２２の傾き量を測定するには、定盤２４に載置された測定装置３０を用いる。測定装置３０は支持部３２に変位センサ３４，３６が支持されている、この変位センサ３４，３６はそれぞれ矢印Ａ，Ｂ方向に摺動可能なプローブ３８，４０を具備し、このプローブ３８，４０のわずかな変位を電気信号に変換し、表示部４２に変位量を表示する仕組みである。前記変位センサ３４，３６にはプローブ３８，４０を被測定物に当接させるため、バネ４４，４６が内蔵されており、前記プローブ３８，４０を矢印Ａ方向に押圧している。
【０００７】
ここであらかじめゲージ（図示せず）等を用いて前記２つのプローブ３８，４０の先端の位置関係をセットしておき、次に前記メカシャーシ２６に植立したテープガイドポスト２２に当接させると、前記ゲージ（図示せず）でセットした値との差が比較測定されて表示部４２に表示される。
【特許文献１】特開昭６０−１８８８０１号公報
【発明の開示】
【発明が解決しようとする課題】
【０００８】
しかしながら上記の従来の構成では、プローブ３８，４０をテープガイドポスト２２に確実に当接させて測定値を安定させるためには矢印Ａ方向に強く押しつける必要があり、そのためにバネ４４，４６を強くしておく必要があった。
【０００９】
このため、テープガイドポスト２２は矢印Ａ方向に押され、反時計回りの傾きが発生し、正確な傾き量が測定できないという問題点を有していた。
【００１０】
また、プローブ３８，４０と変位センサ３４，３６との間の摺動抵抗が変化て、プローブ３８，４０の押圧力が変化した場合でもテープガイドポスト２２の傾き量は変化するという問題点をも有していた。
【００１１】
本発明は上記従来の問題点を解決するもので、被測定物に負荷をかけることなく傾きが測定できる測定装置を提供することを目的とする。
【課題を解決するための手段】
【００１２】
この目的を達成するために本発明の測定装置は、被測定物に当接して相対的に寸法が変化する複数の接触子手段と、前記接触子手段の相対寸法変化を電気信号に変換して表示装置に送るための少なくとも一つのセンサー手段と、前記センサー手段からの電気信号を数値として表示するための表示手段とを具備し、前記接触子手段の被測定物に接触する面を磁化したものである。
【００１３】
この構成によって、接触子手段を被測定物にバネで押圧することなく、被測定物の傾きが測定できる。
【発明の効果】
【００１４】
以上のように本発明は、被測定物に接触圧を与えることなく、正確な傾き測定ができるという優れた効果が得られる。
【発明を実施するための最良の形態】
【００１５】
本発明の請求項１に記載の発明は、被測定物に当接して相対的に寸法が変化する複数の接触子手段と、前記接触子手段の相対寸法変化を電気信号に変換して表示装置に送るための少なくとも一つのセンサー手段と、前記センサー手段からの電気信号を数値として表示するための表示手段とを具備し、前記接触子手段の被測定物に接触する面を磁化したものであり、接触子手段を被測定物にバネで押圧することなく、被測定物の傾きが測定できるという作用を有する。
【００１６】
請求項２に記載の発明は、接触子手段は、電磁石で構成したものであり、測定時のみ接触子手段を磁化することができるという作用を有する。
【００１７】
以下、本発明の実施の形態について、図１から図３を用いて説明する。
【００１８】
（実施の形態１）
測定装置で測定されるテープガイドポストを具備した磁気記録再生装置については、従来例図４と同様なので省略し、従来例と同じくテープガイドポスト２２を例にとってこの傾き測定方法を図１を使って説明する。
【００１９】
図において、２４は定盤であり、測定の基準となる。定盤２４にはメカシャーシ２６を安定して支持するための受け台２８、その上にはメカシャーシ２６が支持されている。前記メカシャーシ２６に植立したテープガイドポスト２２の傾き量を測定するには、定盤２４に載置された測定装置５０を用いる。測定装置５０は支持部５２に変位センサ５４，５６が支持されている、この変位センサ５４，５６はそれぞれ矢印Ａ，Ｂ方向に摺動可能なプローブ５８，６０を具備し、このプローブ５８，６０のわずかな変位を電気信号に変換し、表示部６２に変位量を表示する仕組みである。前記プローブ５８，６０の先端部６４，６６、被測定物に当接する部分は永久磁石で構成されている。前記プローブ５８，６０自体は矢印Ａ、Ｂ方向のどちらにも規制されておらず、自由に動ける構造になっている。
【００２０】
ここであらかじめゲージ（図示せず）等を用いて前記２つのプローブ５８，６０の先端の位置関係をセットしておき、次に前記メカシャーシ２６に植立した磁性体のテープガイドポスト２２に当接させる。
【００２１】
前記プローブ５８，６０の先端部６４，６６がテープガイドポスト２２に吸着して変位し、前記ゲージ（図示せず）でセットした値との差が比較測定されて表示部４２に表示される。
【００２２】
この時、プローブ５８，６０にはテープガイドポスト２２を押す力が発生しないので正確な傾き量が測定できる。
【００２３】
以上のように本実施の形態によれば、プローブの先端に永久磁石を設けることにより、プローブの接触圧をゼロにし、正確な傾き測定をすることができる。
【００２４】
（実施の形態２）
図２は本発明の測定装置の動作図である。
【００２５】
図２において、５０は測定装置であり、支持部５２に変位センサ５４，５６が支持されている、この変位センサ５４，５６はそれぞれ矢印Ａ，Ｂ方向に摺動可能なプローブ７０，７２を具備し、このプローブ７０，７２のわずかな変位を電気信号に変換し、表示部６２に変位量を表示する。以上は図１の構成と同様なものである。図１の構成と異なるのはプローブ７０，７２の外周に電磁石のコイル７４，７６を装着した点である。
【００２６】
以上のように構成された測定装置について、以下その動作を説明する。
【００２７】
測定時に２つのコイル７４，７６に通電し、プローブ７０，７２を電磁石にしておく。
【００２８】
あらかじめゲージ（図示せず）等を用いて前記２つのプローブ７０，７２の先端の位置関係をセットしておき、次に前記メカシャーシ２６に植立した磁性体のテープガイドポスト２２に当接させる。
【００２９】
前記プローブ７０，７２の先端部がテープガイドポスト２２に吸着して変位し、前記ゲージ（図示せず）でセットした値との差が比較測定されて表示部４２に表示される。
【００３０】
この時、プローブ７０，７２にはテープガイドポスト２２を押す力が発生しないので正確な傾き量が測定できる。
【００３１】
測定が終了したら前記コイル７４，７６への通電を終了すると、プローブ７０，７２の先端はテープガイドポスト２２から容易に離れる。
【００３２】
以上のように本実施の形態によれば、電磁石のコイルを設けることにより、プローブの接触圧をゼロにし、正確な傾き測定をすると同時に、測定が終了したらプローブと被測定物を容易に離すことができる。
【００３３】
（実施の形態３）
図３は本発明の測定装置の動作図である。
【００３４】
図３において、５０は測定装置であり、支持部５２にガイドレール８０が支持されている。前記ガイドレール８０には下プローブ８２と一体に構成されたスライダー８４が矢印Ａ，Ｂ方向に摺動可能に支持されている。
【００３５】
前記スライダー８４には矢印Ａ，Ｂ方向に摺動可能な上プローブ８６を具備した変位センサ８８が支持されており、この上プローブ８６のわずかな変位を電気信号に変換し、表示部６２に変位量を表示する。
【００３６】
前記上プローブ８６、下プローブ８２の先端部６４，６６、被測定物に当接する部分は永久磁石で構成されている。
【００３７】
前記上プローブ８６、下プローブ８２自体は矢印Ａ、Ｂ方向のどちらにも規制されておらず、自由に動ける構造になっている。
【００３８】
ここであらかじめゲージ（図示せず）等を用いて前記上プローブ８６、下プローブ８２の先端の位置関係をセットしておき、次に前記メカシャーシ２６に植立した磁性体のテープガイドポスト２２に当接させる。
【００３９】
前記上プローブ８６、下プローブ８２の先端部６４，６６がテープガイドポスト２２に吸着して変位し、前記ゲージ（図示せず）でセットした値との差が比較測定されて表示部４２に表示される。
【００４０】
この時、上プローブ８６、下プローブ８２にはテープガイドポスト２２を押す力が発生しないので正確な傾き量が測定できる。
【００４１】
以上のように本実施の形態によれば、プローブの先端に永久磁石を設けることにより、プローブの接触圧をゼロにし、正確な傾き測定をすることができるだけでなく、高価な変位センサ８８を一個しか必要としない。
【００４２】
なお、以上の説明では上プローブ８６、下プローブ８２の先端部６４，６６に永久磁石を用いた例を示したが、図３の構成で図２に示す電磁石を用いても構わない。
【産業上の利用可能性】
【００４３】
本発明は被測定物の傾斜を計測するものであり、被測定物としては磁力によって吸着可能なものであれば応用可能である。
【図面の簡単な説明】
【００４４】
【図１】本発明の実施の形態１における測定装置の動作を示す側面図
【図２】本発明の実施の形態２における測定装置の動作を示す側面図
【図３】本発明の実施の形態３における測定装置の動作を示す側面図
【図４】磁気記録再生装置のメカニズムの平面図
【図５】従来の測定装置の動作図
【符号の説明】
【００４５】
６４，６６    先端部
７４，７６    コイル
【図１】
2006029936.tif 000003
【図２】
2006029936.tif 000004
【図３】
2006029936.tif 000005
【図４】
2006029936.tif 000006
【図５】
2006029936.tif 000007